(57)【要約】【課題】被介助者を安定して、かつ容易に移動させることのできる介助補助具を提供する。【解決手段】被覆布１は、被介助者の股部と接触して覆う被覆布本体２と、被覆布本体２の股部側から突設されて介助者の腕が通される２本の通しベルト３と、被覆布本体２の腰部側左右両端から突設されて介助者に把持される２本の把持ベルト４とを有している。２本の把持ベルト４は、両端が被覆布本体２の腰部側左右両端の把持ベルト取付部２ｆに縫い付けられている。【選択図】図１
2019130152.tif 000002
【特許請求の範囲】
【請求項１】
介助者が被介助者と対面した状態で被介助者を移動させることのできる介助補助具であって、
被介助者の臀部と接触して覆う被覆布本体と、該被覆布本体の股部側から突設されて介助者の腕が通される２本の通しベルトと、該被覆布本体の腰部側左右両端から突設されて介助者に把持される２本の把持ベルトと、を有し、
２本の該把持ベルトは、両端が該被覆布本体の腰部側左右両端の把持ベルト取付部に縫い付けられていることを特徴とする介助補助具。
【請求項２】
前記被覆布本体の腰部側左右両端近傍には、被介助の腰部と接触する腰部ベルトが設けられていることを特徴とする請求項１記載の介助補助具。
【請求項３】
前記通しベルトは、両端が通しベルト取付部に縫い付けられてループ状にされ、一端が幅方向に折り返されて他端に縫い付けられ、
前記把持ベルトは、他端が幅方向に１８０度回転されて前記把持ベルト取付部に縫い付けられてループ状にされていることを特徴とする請求項１、又は２記載の介助補助具。
【請求項４】
被介助者に装着され、先端に第１連結具を備えて被介助者の両脇下から胸部側に突出する２本の第１連結ベルト部を有する第１装着ベルトと、
介助者に装着され、先端に該第１連結具に連結される第２連結具を備えて介助者の肩から胸部側に突出する２本の第２連結ベルト部を有する第２装着ベルトと、を備えることを特徴とする請求項１乃至３のいずれか１記載の介助補助具。
【請求項５】
前記第１装着ベルトは、第１装着ベルト本体と前記第１連結ベルト部からなり、
該第１装着ベルト本体は、一端から他端に向かって湾曲して幅広になり、一端が係止部材により前記被覆布本体に係止され、他端には２本の該第１連結ベルト部が縫い付けられて被介助者の背方向に延在し、
２本の該第１連結ベルト部は、該第１装着ベルト本体の長手方向に対して対称に縫い付けられ、該第１装着ベルト本体の長手方向とのなす角が鋭角であることを特徴とする請求項４記載の介助補助具。
【請求項６】
前記第１装着ベルトは、帯状をなし被介助者の背部に巻かれる第１装着ベルト本体と、該第１装着ベルト本体の両端から該第１装着ベルト本体の長手方向に一体として形成された２本の前記第１連結ベルト部と、からなることを特徴とする請求項４記載の介助補助具
【請求項７】
前記第１装着ベルトは、幅広の帯状をなし被介助者の背部に巻かれる第１装着ベルト本体と、該第１装着ベルト本体の両端から該第１装着ベルト本体の長手方向と直角方向に対して対称に縫い付けられた２本の前記第１連結ベルト部と、からなり、
２本の該第１連結ベルト部は、該第１装着ベルトの長手方向とのなす角が鈍角であることを特徴とする請求項４記載の介助補助具。
【請求項８】
前記第２装着ベルトは、幅広の帯状をなし介助者の腰部に巻かれる第２装着ベルト本体と、一端が該第２装着ベルト本体の中央部に縫い付けられて介助者の背方向に延在する取付ベルトと、該取付ベルトの他端に縫い付けられた２本の前記第２連結ベルト部とからなり、
該第２装着ベルト本体の両端部には、該第２装着ベルト本体を介助者の腰部に固着させる係止部材が縫い付けられ、
２本の該第２連結ベルト部には、該第２連結ベルト部の長さを調整可能な調整具が取り付けられていることを特徴とする請求項４記載の介助補助具
【請求項９】
前記第２装着ベルトは、帯状をなし介助者の背部に巻かれる第２装着ベルト本体と、該第２装着ベルト本体の中央部から該第２装着ベルト本体の長手方向と直角方向に平行に縫い付けられた２本の前記第２連結ベルト部とからなり、
該第２装着ベルト本体の両端部には、該第２装着ベルト本体を介助者の背部に固着させる係止部材が縫い付けられていることを特徴とする請求項４記載の介助補助具
【発明の詳細な説明】
【技術分野】
【０００１】
本発明は、介助者が被介助者と対面した状態で被介助者を移動させることのできる介助補助具に関する。
【背景技術】
【０００２】
従来、被介助者をベッドと車椅子との間、車椅子と乗用車との間で移動させるには、被介助者が介助者の肩に腕を回して掴まった後、介助者が被介助者を抱きかかえる方法をとっていた。このような方法では、介助者、被介助者ともに負担がかかるだけでなく、転倒等の危険を伴っていた。そして、特に小柄な被介助者を除いて、複数の介助者により被介助者を移動させるのが通常であった。
【０００３】
これに対し、介助者が被介助者と対面した状態で被介助者を移動させることのできる介助補助具として、特許文献１に記載されたオムツ型介助ベルト（１０）が提案されている。このオムツ型介助ベルト（１０）によれば、介助者（６０）は被介助者（７０）と対面した状態で持ち手部（３３）を掴むことができるので安全である。また、持ち手部（３３）が複数あるので、被介助者（７０）の体格に応じて適切な持ち手部（３３）を選択することができる。そのため、不安定な姿勢を避けたり、無駄な力を使わないようにすることができると考えられる。
【先行技術文献】
【特許文献】
【０００４】
【特許文献１】特開２０１０−８２４８３号公報（段落〔０００５〕、〔０００６〕、図８）
【発明の概要】
【発明が解決しようとする課題】
【０００５】
しかし、上記特許文献１に示されるオムツ型介助ベルト（１０）では、被介助者（７０）の重心が常に安定しているとは考え難い。そのため、被介助者（７０）の重心が安定していない場合には、介助者（６０）に大きな力が加わるとともに不安定になる。また、介助者（６０）は被介助者（７０）の体重を、肩と持ち手部（３３）を介してのみ受けることになる。そのため、被介助者（７０）の重心がずれやすく、一旦重心がずれると、元に戻すためには大きな力を必要とする。
【０００６】
本発明はかかる従来の問題点に鑑みてなされたものであり、被介助者を安定して、かつ容易に移動させることのできる介助補助具を提供するものである。
【課題を解決するための手段】
【０００７】
上記の課題を解決するために、請求項１に係る介助補助具の特徴は、介助者が被介助者と対面した状態で被介助者を移動させることのできる介助補助具であって、被介助者の臀部と接触して覆う被覆布本体と、該被覆布本体の股部側から突設されて介助者の腕が通される２本の通しベルトと、該被覆布本体の腰部側左右両端から突設されて介助者に把持される２本の把持ベルトと、を有し、２本の該把持ベルトは、両端が該被覆布本体の腰部側左右両端の把持ベルト取付部に縫い付けられていることである。
【０００８】
請求項２に係る介助補助具の特徴は、前記被覆布本体の腰部側左右両端近傍には、被介助の腰部と接触する腰部ベルトが設けられていることである。
【０００９】
請求項３に係る介助補助具の特徴は、前記通しベルトは、両端が通しベルト取付部に縫い付けられてループ状にされ、一端が幅方向に折り返されて他端に縫い付けられ、前記把持ベルトは、他端が幅方向に１８０度回転されて前記把持ベルト取付部に縫い付けられてループ状にされていることである。
【００１０】
請求項４に係る介助補助具の特徴は、被介助者に装着され、先端に第１連結具を備えて被介助者の両脇下から胸部側に突出する２本の第１連結ベルト部を有する第１装着ベルトと、介助者に装着され、先端に該第１連結具に連結される第２連結具を備えて介助者の肩から胸部側に突出する２本の第２連結ベルト部を有する第２装着ベルトと、を備えることである。
【００１１】
請求項５に係る介助補助具の特徴は、前記第１装着ベルトは、第１装着ベルト本体と前記第１連結ベルト部からなり、該第１装着ベルト本体は、一端から他端に向かって湾曲して幅広になり、一端が係止部材により前記被覆布本体に係止され、他端には２本の該第１連結ベルト部が縫い付けられて被介助者の背方向に延在し、２本の該第１連結ベルト部は、該第１装着ベルト本体の長手方向に対して対称に縫い付けられ、該第１装着ベルト本体の長手方向とのなす角が鋭角であることである。
【００１２】
請求項６に係る介助補助具の特徴は、前記第１装着ベルトは、帯状をなし被介助者の背部に巻かれる第１装着ベルト本体と、該第１装着ベルト本体の両端から該第１装着ベルト本体の長手方向に一体として形成された２本の前記第１連結ベルト部と、からなることである。
【００１３】
請求項７に係る介助補助具の特徴は、前記第１装着ベルトは、幅広の帯状をなし被介助者の背部に巻かれる第１装着ベルト本体と、該第１装着ベルト本体の両端から該第１装着ベルト本体の長手方向と直角方向に対して対称に縫い付けられた２本の前記第１連結ベルト部と、からなり、２本の該第１連結ベルト部は、該第１装着ベルトの長手方向とのなす角が鈍角であることである。
【００１４】
請求項８に係る介助補助具の特徴は、前記第２装着ベルトは、幅広の帯状をなし介助者の腰部に巻かれる第２装着ベルト本体と、一端が該第２装着ベルト本体の中央部に縫い付けられて介助者の背方向に延在する取付ベルトと、該取付ベルトの他端に縫い付けられた２本の前記第２連結ベルト部とからなり、該第２装着ベルト本体の両端部には、該第２装着ベルト本体を介助者の腰部に固着させる係止部材が縫い付けられ、２本の該第２連結ベルト部には、該第２連結ベルト部の長さを調整可能な調整具が取り付けられていることである。
【００１５】
請求項９に係る介助補助具の特徴は、前記第２装着ベルトは、帯状をなし介助者の背部に巻かれる第２装着ベルト本体と、該第２装着ベルト本体の中央部から該第２装着ベルト本体の長手方向と直角方向に平行に縫い付けられた２本の前記第２連結ベルト部とからなり、該第２装着ベルト本体の両端部には、該第２装着ベルト本体を介助者の背部に固着させる係止部材が縫い付けられていることである。
【発明の効果】
【００１６】
請求項１に係る介助補助具においては、介助者の腕が通される２本の通しベルトが被覆布本体の股部側から突設され、介助者に把持される２本の把持ベルトが被覆布本体の腰部側左右両端から突設される。この２本の把持ベルトは被覆布本体の把持ベルト取付部に縫い付けられている。そして、被介助者の体重が通しベルトを介して介助者の腕に分散されるため、介助者の両手に加わる力を軽減することができる。また、被介助者の重心が前方向に移動した場合、通しベルトにより重心を戻すことができる。これにより、介助者には大きな力が加わることが少なくなるとともに、安定し易くなる。したがって、請求項１に係る介助補助具によれば、被介助者を安定して、かつ容易に移動させることができる。そのため、１人の介助者だけで被介助者を移動させることができる。なお、この介助補助具は、被介助者の上半身が不自由でなく、かつ、体重の軽い子供や女性である場合に特に適している。
【００１７】
請求項２に係る介助補助具においては、被覆布本体の腰部側左右両端近傍に被介助の腰部と接触する腰部ベルトが設けられているため、被介助者の重心が後方向に移動した場合、腰部ベルトにより重心を戻すことができる。
【００１８】
請求項３に係る介助補助具においては、通しベルト取付部にループ状に縫い付けられた通しベルトの一端が幅方向に折り返されて他端に縫い付けられているため、ループが常に開いた状態にあり、介助者の腕を通し易い。また、把持ベルトは、他端が幅方向に１８０度回転されて把持ベルト取付部に縫い付けられてループ状にされているため、介助者の手になじみ易く、握り易くなっている。
【００１９】
請求項４に係る介助補助具においては、第１装着ベルトの２本の第１連結ベルト部が先端に第１連結具を備えて被介助者の両脇下から胸部側に突出され、第２装着ベルトの２本の第２連結ベルト部が先端に第２連結具を備えて介助者の肩から胸部側に突出される。そして、第１連結具と第２連結具とが連結されることにより、第１装着ベルトと第２装着ベルトとが連結される。この第１装着ベルトが被介助者に装着され、第２装着ベルトが介助者に装着されているため、被介助者の背部が介助者により確実に支えられる。これにより、上半身が不自由である被介助者や、体重の重い被介助者であっても容易に移動させることができる。また、被介助者の体重が第２連結ベルト部を介して介助者の肩に分散されるため、介助者の両手に加わる力をさらに軽減することができる。
【００２０】
請求項５に係る介助補助具においては、第１装着ベルト本体の一端が係止部材により被覆布本体に係止され、他端には２本の第１連結ベルト部が縫い付けられて被介助者の背方向に延在しているため、第１装着ベルト本体の一端が被覆布本体に固着されるとともに、他端が第１連結ベルト部、第２連結ベルト部を介して介助者に引っ張られ、被介助者の背部が介助者により確実に支えられる。また、第１装着ベルト本体は、一端から他端に向かって湾曲して次第に幅広になっているため、耐久性が高くなっている。すなわち、第１装着ベルト本体の所定の位置で所定の角度をもって直線的に次第に幅広になる場合は、長期間の使用により、この所定の位置より裂け易くなってしまうからである。また、２本の第１連結ベルト部は、第１装着ベルト本体の長手方向とのなす角が鋭角になるように第１装着ベルト本体の長手方向に対して対称に縫い付けられているため、第１連結ベルト部が被介助者の脇の下に食い込み難く、被介助者の負担を少なくすることができる。この第１装着ベルトは、被介助者の介助に大きな力を必要とする場合に特に適している。
【００２１】
請求項６に係る介助補助具においては、第１装着ベルトは、帯状をなし被介助者の背部に巻かれる第１装着ベルト本体と、第１装着ベルト本体の両端から第１装着ベルト本体の長手方向に一体として形成された２本の第１連結ベルト部とからなっている。換言すると、帯状の第１装着ベルトの両端が第１連結ベルト部を兼ねている。そのため、構造が簡単であり、安価に製造することができる。
【００２２】
請求項７に係る介助補助具においては、第１装着ベルトは、幅広の帯状をなし被介助者の背部に巻かれる第１装着ベルト本体と、第１装着ベルト本体の両端から第１装着ベルト本体の長手方向と直角方向に対して対称に縫い付けられた２本の第１連結ベルト部とからなっている。この第１装着ベルト本体が幅広の帯状であるため、第１装着ベルト本体と被介助者の背部とが広い面積で接触することになり、被介助者の負担を少なくすることができる。また、第１連結ベルト部と第１装着ベルト本体の長手方向とのなす角が鈍角であるため、第１連結ベルト部が被介助者の脇の下に食い込み難く、被介助者の負担を少なくすることができる。
【００２３】
請求項８に係る介助補助具においては、第２装着ベルトは、幅広の帯状をなし介助者の腰部に巻かれる第２装着ベルト本体と、一端が第２装着ベルト本体の中央部に縫い付けられて介助者の背方向に延在する取付ベルトと、取付ベルトの他端に縫い付けられた２本の第２連結ベルト部とからなっている。そのため、第２連結ベルト部を介して加わる被介助者の体重を介助者の肩だけでなく腰によっても受けることができ、介助者の負担が減少する。
【００２４】
その上、第２装着ベルト本体が幅広の帯状であるため、介助者の腰部全体で力を受けることができ、腰痛の防止にもなる。また、第２装着ベルト本体の両端部には、第２装着ベルト本体を介助者の腰部に固着させる係止部材が縫い付けられているため、介助者は容易に第２装着ベルト本体を腰部に固着させることができる。さらには、２本の第２連結ベルト部には、第２連結ベルト部の長さを調整可能な調整具が取り付けられているため、介助者の体形の違いにより第２連結ベルト部の長さを調整することができる。この第２装着ベルトは、被介助者の介助に大きな力を必要とする場合に特に適している。
【００２５】
請求項９に係る介助補助具においては、第２装着ベルトは、帯状をなし介助者の背部に巻かれる第２装着ベルト本体と、第２装着ベルト本体の中央部から第２装着ベルト本体の長手方向と直角方向に平行に縫い付けられた２本の第２連結ベルト部とからなっている。そのため、構造が簡単であり、安価に製造することができる。また、第２装着ベルト本体の両端部には、第２装着ベルト本体を介助者の背部に固着させる係止部材が縫い付けられているため、介助者は容易に第２装着ベルト本体を背部に固着させることができる。
【図面の簡単な説明】
【００２６】
【図１】実施形態１の介助補助具の正面図。
【図２】実施形態１の介助補助具の斜視図。
【図３】実施形態１の介助補助具の使用例を示す図。
【図４】実施形態２の介助補助具の正面図。
【図５】実施形態２の介助補助具の斜視図。
【図６】実施形態２の介助補助具に係り、被覆布の正面図。
【図７】実施形態２の介助補助具に係り、第１装着ベルトの正面図。
【図８】実施形態２の介助補助具に係り、第２装着ベルトの正面図。
【図９】実施形態２の介助補助具の使用例に係り、第１装着ベルトと第２装着ベルトとを連結する直前の状態を示す図。
【図１０】実施形態２の介助補助具の使用例を示す図。
【図１１】実施形態２の介助補助具に係り、別の第１装着ベルトの正面図。
【図１２】実施形態２の介助補助具に係り、別の第２装着ベルトの正面図。
【図１３】実施形態３の介助補助具の正面図。
【図１４】実施形態３の介助補助具に係り、左側布と右側布とが開いた状態の被覆布の正面図。
【図１５】実施形態３の介助補助具に係り、左側布と右側布とが閉じた状態の被覆布の正面図。
【発明を実施するための形態】
【００２７】
本発明に係る介助補助具について、実施形態１から３により図面に基づいて以下に説明する。まず、実施形態１の介助補助具について図１から図３を用いて説明する。図１は介助補助具としての被覆布１の正面図であり、図２は被覆布１の斜視図である。また、図３は、被覆布１の使用例を示す図である。
【００２８】
図１、及び図２に示すように、被覆布１は、被覆布本体２、通しベルト３、把持ベルト４、腰部ベルト５からなっている。被覆布本体２は略長方形をなし、被介助者の臀部と接触して覆い、被介助者の体重の大部分が加わるため強力な布地が用いられている。この被覆布本体２は、中央部分であって臀部に接触する臀部接触部２ａと、股部側に接触する股部側接触部２ｂと、腰部側と接触する腰部側接触部２ｃとからなっている。
【００２９】
また、股部側接触部２ｂの通しベルト取付部２ｄには、介助者の腕が通される２本の通しベルト３の両端が縫い付けられてループ状に突設されている。この２本の通しベルト３は、縫い付けられた一端が幅方向に折り返されて他端に縫い付けられている。これにより、通しベルト３は常にループ状に開かれた状態にされ、介助者は腕を簡単に通すことができる。さらに、股部側接触部２ｂには補強布２ｅが縫い付けられている。
【００３０】
また、腰部側接触部２ｃの把持ベルト取付部２ｆには、介助者の両手が通された状態で把持される２本の把持ベルト４の両端が縫い付けられてループ状に突設されている。この２本の把持ベルト４は、他端が幅方向に１８０度回転されてから縫い付けられており、いわゆるメビウスの帯を形成している。これにより、把持ベルト４は常にループ状に開かれた状態にされるとともに、介助者の手になじみ易く、握り易くなっている。そして、腰部側接触部２ｃの両端近傍である把持ベルト４の両端部分には、腰部ベルト５が縫い付けられている。これにより、腰部ベルト５により把持ベルト４の両端部分が連結され、被介助者の後ろ方向への傾斜を抑制することができる。
【００３１】
以上のような構成の被覆布１の使用方法について、被介助者をベッドから車椅子に移動させる場合を例に、図３を用いて説明する。まず、介助者は被介助者の臀部下に被覆布１を敷き、臀部接触部２ａが臀部と接触し、股部側接触部２ｂが股部側に位置し、腰部側接触部２ｃが腰部側に位置するように調整する。そして、介助者は、被介助者に向かって上半身を屈め、２本の通しベルト３に両腕を通した後、２本の把持ベルト４に両手を通した状態で把持ベルト４を握る。その後、被介助者は介助者の肩に腕を回して掴まり、介助者は自分の上半身を起こすことにより被介助者の上半身を起こす。図３は、この状態を示している。ただし、図３は被介助者の後方から見た図である。そして、把持ベルト４を持ち上げて、被介助者をベッドから車椅子に移動させる。この際、被介助者の重心が把持ベルト４が縫い付けられている把持ベルト取付部２ｆの鉛直下方に位置するようになっている。被介助者を車椅子に移動させた後、必要があれば、被覆布１を取り外して終了する。車椅子からベッドに移動させる場合は、逆の動作をすればよい。車椅子と乗用車との間の移動等の場合も、略同様の方法で被介助者を移動させることができる。
【００３２】
実施形態１に係る被覆布１においては、介助者の腕が通される２本の通しベルト３が股部側接触部２ｂの通しベルト取付部２ｄに縫い付けられて突設され、介助者に把持される２本の把持ベルト４が腰部側接触部２ｃの把持ベルト取付部２ｆに縫い付けられて突設されている。そして、被介助者の体重が通しベルト３を介して介助者の腕に分散されるため、介助者の両手に加わる力を軽減することができる。また、被介助者の重心が前方向に移動した場合、通しベルト３により重心を戻すことができる。これにより、介助者には大きな力が加わることが少なくなるとともに、安定し易くなる。したがって、この被覆布１によれば、被介助者を安定して、かつ容易に移動させることができる。そのため、１人の介助者だけで被介助者を移動させることができる。なお、この介助補助具は、被介助者の上半身が不自由でなく、かつ、体重の軽い子供や女性である場合に適している。
【００３３】
また、この被覆布１においては、被覆布本体２の腰部側左右両端近傍に被介助の腰部と接触する腰部ベルト５が設けられているため、被介助者の重心が後方向に移動した場合、腰部ベルト５により重心を戻すことができる。
【００３４】
さらに、この被覆布１においては、通しベルト取付部２ｄにループ状に縫い付けられた通しベルト３の一端が幅方向に折り返されて他端に縫い付けられているため、ループが常に開いた状態にあり、介助者の腕を通し易い。また、把持ベルト４は、他端が幅方向に１８０度回転されて把持ベルト取付部２ｆに縫い付けられてループ状にされているため、介助者の手になじみ易く、握り易くなっている。
【００３５】
次に、実施形態２の介助補助具について図４から図１２を用いて説明する。図４、及び図５に示すように、この介助補助具７は、被覆布８、第１装着ベルト１０、第２装着ベルト３０からなっている。第１装着ベルト１０は、被介助者に装着され、先端に第１連結具としてのＯリング１３を備えて被介助者の両脇下から胸部側に突出する２本の第１連結ベルト部１２を有している。また、第２装着ベルト３０は、介助者に装着され、先端にＯリング１３に連結される第２連結具としてのナスカン３４を備えて介助者の肩から胸部側に突出する２本の第２連結ベルト部３３を有している。ここで、図４は介助補助具７の正面図であり、図５は介助補助具７の斜視図である。
【００３６】
被覆布８は実施形態１の被覆布１と略同一のものを使用する。そのため、以下においては被覆布１と異なる構成のみ説明し、同一の構成については同一の符号を用いることとし、その説明を省略する。図６に示すように、係止部材としての面ファスナー８ａが被覆布本体２の臀部接触部２ａの中央端から腰部側接触部２ｃにかけて縫い付けられている。また、係止部材としての面ファスナー８ｂが腰部ベルト５の中央に縫い付けられている。これらの面ファスナー８ａ、８ｂは、後述する第１装着ベルト１０の面ファスナー１４ａ、１４ｂ（図７参照）に係止され、被覆布８と第１装着ベルト１０とが固着される。
【００３７】
図７に示すように、第１装着ベルト１０は、第１装着ベルト本体１１と２本の第１連結ベルト部１２とからなっている。第１装着ベルト本体１１は、一端から他端に向かって湾曲して幅広になり、他端には２本の第１連結ベルト部１２が縫い付けられてる。そして、２本の第１連結ベルト部１２は、第１装着ベルト本体１１の長手方向に対して対称に縫い付けられ、第１装着ベルト本体１１の長手方向とのなす角が鋭角になっている。この２本の第１連結ベルト部１２の先端には、Ｏリング１３が取り付けられている。
【００３８】
また、第１装着ベルト本体１１の一端部には係止部材としての面ファスナー１４ａ、１４ｂが逆Ｔ字形に縫い付けられている。これらの面ファスナー１４ａ、１４ｂは、被覆布８の面ファスナー８ａ、８ｂに係止され、第１装着ベルト１０と被覆布８とが固着される。そして、面ファスナー１４ａ、１４ｂと面ファスナー８ａ、８ｂとの係止位置を変えることにより、第１装着ベルト本体１１の長さを変えたり、腰部ベルト５の係止位置を変えて、被介助者の体形の違いに対応することができる。
【００３９】
図８に示すように、第２装着ベルト３０は、第２装着ベルト本体３１、取付ベルト３２、及び第２連結ベルト部３３からなっている。第２装着ベルト本体３１は、介助者の腰部に巻かれ、腰部を十分に守ることができるように幅広の帯状になっている。そして、第２装着ベルト本体３１の両端には、係止部材としての面ファスナー３１ａ、３１ｂが各々２枚縫い付けられている。この面ファスナー３１ａ、３１ｂにより、第２装着ベルト本体３１が介助者の腰部に固着される。なお、面ファスナー３１ａの縫い付けられている一端が上下二段に分けられているのは、第２装着ベルト本体３１を面ファスナー３１ａ、３１ｂで止めた後、２つの面ファスナー３１ａを交互に外して止め直すことにより、第２装着ベルト本体３１を腰部にしっかりと固着させるためである。
【００４０】
取付ベルト３２は、一端が第２装着ベルト本体３１の中央部に縫い付けられて介助者の背方向に延在し、他端には２本の第２連結ベルト部３３が縫い付けられている。２本の第２連結ベルト部３３には、第２連結ベルト部３３の長さを調整可能な調整具３５が取り付けられるとともに、先端にナスカン３４が取り付けられている。この第２連結ベルト部３３のナスカン３４と第１連結ベルト部１２のＯリング１３とが連結されることにより、第１装着ベルト１０と第２装着ベルト３０とが連結される。
【００４１】
以上のような構成の介助補助具７の使用方法について、被介助者をベッドから車椅子に移動させる場合を例に、図９、及び図１０を用いて説明する。まず、被覆布８の面ファスナー８ａ、８ｂと第１装着ベルト１０の面ファスナー１４ａ、１４ｂとを係止して、被覆布８と第１装着ベルト１０とを固着する。この際、被介助者の体形の違いにより、面ファスナー８ａ、８ｂと面ファスナー１４ａ、１４ｂとの係止位置を変え、第１装着ベルト本体１１の長さを変えたり、腰部ベルト５の係止位置を変えることができる。そして、被介助者の臀部下、背部下に被覆布８、第１装着ベルト１０を敷き、臀部接触部２ａが臀部と接触し、股部側接触部２ｂが股部側に位置し、腰部側接触部２ｃが腰部側に位置するように調整する。また、２本の第１連結ベルト部１２を両脇下から胸部側に延ばす。
【００４２】
次に、第２装着ベルト本体３１を介助者の腰部に巻き、面ファスナー３１ａと面ファスナー３１ｂとを留め、第２装着ベルト本体３１を介助者の腰部にしっかりと巻き付ける。そして、２本の第２連結ベルト部３３を介助者の両肩に伸ばし、２個のナスカン３４を両肩から胸部側に垂らす。図９は、この状態を示している。その後、介助者は、被介助者に向かって上半身を屈め、第２連結ベルト部３３のナスカン３４と第１連結ベルト部１２のＯリング１３とを連結して第１装着ベルト１０と第２装着ベルト３０とを連結する。
【００４３】
そして、介助者は、２本の通しベルト３に両腕を通した後、２本の把持ベルト４に両手を通した状態で把持ベルト４を握る。その後、被介助者は介助者の肩に腕を回して掴まり、介助者は自分の上半身を起こすことにより被介助者の上半身を起こす。図１０は、この状態を示している。ただし、図１０は被介助者の後方から見た図である。そして、把持ベルト４を持ち上げて、被介助者をベッドから車椅子に移動させる。被介助者を車椅子に移動させた後、必要があれば、介助補助具７を取り外して終了する。車椅子からベッドに移動させる場合は、逆の動作をすればよい。車椅子と乗用車との間の移動等の場合も、略同様の方法で被介助者を移動させることができる。
【００４４】
実施形態２に係る介助補助具７においては、第１装着ベルト１０の２本の第１連結ベルト部１２が先端にＯリング１３を備えて被介助者の両脇下から胸部側に突出され、第２装着ベルト３０の２本の第２連結ベルト部３３が先端にナスカン３４を備えて介助者の肩から胸部側に突出される。そして、Ｏリング１３とナスカン３４とが連結されることにより、第１装着ベルト１０と第２装着ベルト３０とが連結される。この第１装着ベルト１０が被介助者に装着され、第２装着ベルト３０が介助者に装着されているため、被介助者の背部が介助者により確実に支えられる。これにより、上半身が不自由である被介助者や、体重の重い被介助者であっても容易に移動させることができる。また、被介助者の体重が第２連結ベルト部３３を介して介助者の肩に分散されるため、介助者の両手に加わる力をさらに軽減することができる。したがって、この介助補助具７によれば、被介助者を安定して、かつ容易に移動させることができる。そのため、１人の介助者だけで被介助者を移動させることができる。
【００４５】
また、この介助補助具７においては、第１装着ベルト本体１１の一端が面ファスナー１４ａにより被覆布本体２に係止され、他端には２本の第１連結ベルト部１２が縫い付けられて被介助者の背方向に延在しているため、第１装着ベルト本体１１の一端が被覆布本体に固着されるとともに、他端が第１連結ベルト部１２、第２連結ベルト部３３を介して介助者に引っ張られ、被介助者の背部が介助者により確実に支えられる。また、第１装着ベルト本体１１は、一端から他端に向かって湾曲して次第に幅広になっているため、耐久性が高くなっている。また、２本の第１連結ベルト部１２は、第１装着ベルト本体１１の長手方向とのなす角が鋭角になるように第１装着ベルト本体１１の長手方向に対して対称に縫い付けられているため、第１連結ベルト部１２が被介助者の脇の下に食い込み難く、被介助者の負担を少なくすることができる。なお、第１装着ベルト１０は、被介助者の介助に大きな力を必要とする場合に特に適している。
【００４６】
さらに、この介助補助具７においては、第２装着ベルト３０は、幅広の帯状をなし介助者の腰部に巻かれる第２装着ベルト本体３１と、一端が第２装着ベルト本体３１の中央部に縫い付けられて介助者の背方向に延在する取付ベルト３２と、取付ベルト３２の他端に縫い付けられた２本の第２連結ベルト部３３とからなっている。そのため、第２連結ベルト部３３を介して加わる被介助者の体重を介助者の肩だけでなく腰によっても受けることができ、介助者の負担が減少する。
【００４７】
その上、第２装着ベルト本体３１が幅広の帯状であるため、介助者の腰部全体で力を受けることができ、腰痛の防止にもなる。また、第２装着ベルト本体３１の両端部には、第２装着ベルト本体３１を介助者の腰部に固着させる面ファスナー３１ａ、３１ｂが縫い付けられているため、介助者は容易に第２装着ベルト本体３１を腰部に固着させることができる。さらには、２本の第２連結ベルト部３３には、第２連結ベルト部３３の長さを調整可能な調整具３５が取り付けられているため、介助者の体形の違いにより第２連結ベルト部３３の長さを調整することができる。この第２装着ベルト３０は、被介助者の介助に大きな力を必要とする場合に特に適している。その他の作用、効果は実施形態１と同様である。なお、被覆布８を実施形態１の被覆布１の場合と同様、単独で用いることもできる。
【００４８】
また、第１装着ベルト１０の替わりに、図１１（１）、（２）に示す第１装着ベルト２０、２５を用いることもできる。図１１（１）に示す第１装着ベルト２０は、帯状をなし被介助者の背部に巻かれる第１装着ベルト本体２１と、第１装着ベルト本体２１の両端から第１装着ベルト本体２１の長手方向に一体として形成された２本の第１連結ベルト部２２と、からなっている。すなわち、帯状の第１装着ベルトの両端が第１連結ベルト部２２を兼ねているため、構造が簡単であり、安価に製造することができる。なお、２本の第１連結ベルト部２２の先端には、第１装着ベルト１０の場合と同様のＯリング１３が取り付けられている。
【００４９】
また、図１１（２）に示す第１装着ベルト２５は、幅広の帯状をなし被介助者の背部に巻かれる第１装着ベルト本体２６と、第１装着ベルト本体２６の両端から第１装着ベルト本体２６の長手方向と直角方向に対して対称に縫い付けられた２本の第１連結ベルト部２７とからなっている。この第１装着ベルト本体２６が幅広の帯状であるため、第１装着ベルト本体２６と被介助者の背部とが広い面積で接触することになり、被介助者の負担を少なくすることができる。また、第１連結ベルト部２７と第１装着ベルト本体２６の長手方向とのなす角が鈍角であるため、第１連結ベルト部２７が被介助者の脇の下に食い込み難く、被介助者の負担を少なくすることができる。なお、２本の第１連結ベルト部２７の先端には、第１装着ベルト１０の場合と同様のＯリング１３が取り付けられている。
【００５０】
さらに、第２装着ベルト３０の替わりに、図１２に示す第２装着ベルト４０を用いることもできる。図１２に示す第２装着ベルト４０は、帯状をなし介助者の背部に巻かれる第２装着ベルト本体４１と、第２装着ベルト本体４１の中央部から第２装着ベルト本体４１の長手方向と直角方向に平行に縫い付けられた２本の第２連結ベルト部４２とからなっている。そのため、構造が簡単であり、安価に製造することができる。また、第２装着ベルト本体４１の両端部には、第２装着ベルト本体４１を介助者の背部に固着させる面ファスナー４１ａ、４１ｂが縫い付けられているため、介助者は容易に第２装着ベルト本体４１を背部に固着させることができる。なお、２本の第２連結ベルト部４２の先端には、第２装着ベルト３０の場合と同様のナスカン３４が取り付けられている。
【００５１】
次に、実施形態３の介助補助具について図１３から図１５を用いて説明する。図１３は、この介助補助具９の正面図である。この介助補助具９は、被覆布５０、第１装着ベルト１０、第２装着ベルト３０からなっている。第１装着ベルト１０、第２装着ベルト３０は、実施形態２と同様であり、説明を省略する。この介助補助具９は、被介助者の排泄時に用いるのに適している。
【００５２】
図１４、１５に示すように、被覆布５０は、被覆布本体としての左側布５１及び右側布５２、接続布５３、開閉ベルト５４、通しベルト３、把持ベルト４、腰部ベルト５からなっている。通しベルト３、把持ベルト４、腰部ベルト５は、実施形態２と同様であり、説明を省略する。左側布５１、右側布５２は、逆三角形をなし、被介助者の臀部と接触して覆い、被介助者の体重の大部分が加わるため強力な布地が用いられる。この左側布５１、右側布５２は、中央部分であって臀部に接触する臀部接触部５１ａ、５２ａと、股部側に接触する股部側接触部５１ｂ、５２ｂと、腰部側に接触する腰部側接触部５１ｃ、５２ｃとからなっている。また、通しベルト取付部５１ｄ、５２ｄは、股部側接触部５１ｂ、５２ｂに設けられ、通しベルト３が縫いつけられる。また、把持ベルト取付部５１ｅ、５２ｅは、腰部側接触部５１ｃ、５２ｃに設けられ、把持ベルト４が縫いつけられる。なお、左側布５１、右側布５２は、レザー張りであってもよい。
【００５３】
接続布５３は、左側布５１の１つの頂角部、右側布５２の１つの頂角部、及び腰部ベルト５の中央部を縫い付けて一体にしている。これにより、左側布５１と右側布５２とが開閉可能になっている。この接続布５３の裏面には、係止部材としての面ファスナー５３ａが縫い付けられている。この面ファスナー５３ａは、第１装着ベルト１０の面ファスナー１４ａ、１４ｂに係止され、被覆布５０と第１装着ベルト１０とが固着される。
【００５４】
開閉ベルト５４は、長方形をなし、一端が左側布５１の腰部側接触部５１ｃに縫い付けられている。そして、開閉ベルト５４の一端の表面には面ファスナー５４ａが縫い付けられ、他端の裏面には面ファスナー５４ｂが縫い付けられている。この開閉ベルト５４は、左側布５１と右側布５２とを開閉する場合に用いられる。
【００５５】
以上のような構成の介助補助具９の使用方法について説明する。まず、被介助者を移動させるには、図１４に示す状態から、右側布５２の通しベルト取付部５２ｄの上に左側布５１の通しベルト取付部５１ｄを重ね、開閉ベルトを巻いて面ファスナー５４ａ、５４ｂを留める。これにより、図１５に示すように、左側布５１と右側布５２とが閉じられ、実施形態２と同様の方法で使用することができる。また、排泄時には、面ファスナー５４ａ、５４ｂを外して左側布５１と右側布５２とを離せば、図１４に示すように、左側布５１と右側布５２とが開かれる。
【００５６】
実施形態３に係る介助補助具９においては、左側布５１と右側布５２とを開閉できるため、被介助者の排泄時に用いることができる。その他の作用、効果は実施形態２と同様である。
【００５７】
以上、本発明の介助補助具を実施形態１から３に即して説明したが、本発明はこれらに制限されるものではなく、本発明の技術的思想に反しない限り、適宜変更して適用できることはいうまでもない。
【符号の説明】
【００５８】
１，７，９…介助補助具（１…被覆布）、２，５１，５２…被覆布本体（５１…左側布，５２…右側布）、３…通しベルト、２ｄ，５１ｄ，５２ｄ…通しベルト取付部、４…把持ベルト、２ｆ，５１ｅ，５２ｅ…把持ベルト取付部、５…腰部ベルト、１０，２０，２５…第１装着ベルト、１１，２１，２６…第１装着ベルト本体、１２，２２，２７…第１連結ベルト部、１３…第１連結具（Ｏリング）、８ａ，８ｂ，１４ａ，１４ｂ，３１ａ，３１ｂ，４１ａ，４１ｂ…係止部材（面ファスナー）、３０，４０…第２装着ベルト、３１，４１…第２装着ベルト本体、３２…取付ベルト、３３，４２…第２連結ベルト部、３４…第２連結具（ナスカン）、３５…調整具。
【図１】
2019130152.tif 000003
【図２】
2019130152.tif 000004
【図３】
2019130152.tif 000005
【図４】
2019130152.tif 000006
【図５】
2019130152.tif 000007
【図６】
2019130152.tif 000008
【図７】
2019130152.tif 000009
【図８】
2019130152.tif 000010
【図９】
2019130152.tif 000011
【図１０】
2019130152.tif 000012
【図１１】
2019130152.tif 000013
【図１２】
2019130152.tif 000014
【図１３】
2019130152.tif 000015
【図１４】
2019130152.tif 000016
【図１５】
2019130152.tif 000017